(57)【要約】  箱体１の外壁の主フレーム２に内端部４１が取り付けられると共に先端部４２が機器本体取り出し口１２を閉じた状態の扉３の内壁面３１に対向し少なくともヒンジ６のヒンジ回転軸６３の軸方向の長さに亘って延在する密封用フレーム４、および密封用フレーム４の先端部４２の扉３との対向面と扉３の内壁面３１との間に介在し、ヒンジ６の部分において、箱体１と扉３との間から、箱体１の外部の異物が、箱体１の内部に侵入するのを防止するヒンジ部パッキン５を備えている電気機器であり、箱体１と扉３との間から、箱体１の外部の異物が、箱体１の内部に侵入するのを、廉価な簡単な構造で、効果的に防止するものである。
2018189807.tif 000002
【特許請求の範囲】
【請求項１】
機器本体を機器本体取り出し口から取り出し可能に収納する箱体、および前記箱体にヒンジにより開閉自在に枢着され前記機器本体取り出し口を開閉する扉を備えた電気機器であって、
前記箱体の外壁の主フレームに内端部が取り付けられると共に先端部が前記機器本体取り出し口を閉じた状態の前記扉の内壁面に対向し少なくとも前記ヒンジのヒンジ回転軸の軸方向の長さに亘って延在する密封用フレーム、および
前記密封用フレームの前記先端部の前記扉との対向面と前記扉の前記内壁面との間に介在し、前記ヒンジの部分において、前記箱体と前記扉との間から、前記箱体の外部の異物が、前記箱体の内部に侵入するのを防止するヒンジ部パッキンを備えている
ことを特徴とする電気機器。
【請求項２】
請求項１に記載の電気機器において、
前記ヒンジ部パッキンが、前記密封用フレームの前記先端部に取り付けられている
ことを特徴とする電気機器。
【請求項３】
請求項１に記載の電気機器において、
前記ヒンジ部パッキンが前記扉の前記内壁面に取り付けられている
ことを特徴とする電気機器。
【請求項４】
請求項１から請求項３のいずれか一項に記載の電気機器において、
前記密封用フレームが、前記内端部と前記先端部との間に、前記機器本体取り出し口を閉じた状態の前記扉の前記内壁面と平行な中間部を有し、
前記内端部と前記先端部と前記中間部とにより前記密封用フレームがＺ字形状に形成されている
ことを特徴とする電気機器。
【請求項５】
請求項４に記載の電気機器において、
前記先端部がＬ字状に形成され、前記機器本体取り出し口を閉じた状態の前記扉の前記内壁面と平行な最先端部を有し、
前記機器本体取り出し口を閉じた状態の前記扉の前記内壁面と前記最先端部との間に、前記ヒンジ部パッキンが介在している
ことを特徴とする電気機器。
【請求項６】
請求項４または請求項５に記載の電気機器において、
前記内端部と前記先端部と前記中間部とが、一枚の板材で形成されている
ことを特徴とする電気機器。
【請求項７】
請求項４または請求項５に記載の電気機器において、
前記ヒンジの一方の片が、前記密封用フレームの前記中間部に取り付けられ、
前記ヒンジの他方の片が、前記扉の前記内壁面に取り付けられている
ことを特徴とする電気機器。
【請求項８】
請求項１から請求項７のいずれか一項に記載の電気機器において、
前記扉の前記箱体の側の周縁部と前記箱体との間に、前記箱体と前記扉との間から、前記箱体の外部の前記異物が、前記箱体の内部に侵入するのを防止する周縁部パッキンが設けられている
ことを特徴とする電気機器。
【請求項９】
請求項８に記載の電気機器において、
前記周縁部パッキンが前記箱体に取り付けられている
ことを特徴とする電気機器。
【請求項１０】
請求項８に記載の電気機器において、
前記周縁部パッキンが前記扉に取り付けられていることを特徴とする電気機器。
【請求項１１】
請求項８から請求項１０のいずれか一項に記載の電気機器において、
前記ヒンジ部パッキンと前記周縁部パッキンとにより、前記箱体の外部から、前記異物が、前記箱体の内部に侵入するのを防止する
ことを特徴とする電気機器。
【請求項１２】
請求項１から請求項１１のいずれか一項に記載の電気機器において、
前記ヒンジ部パッキンが、前記ヒンジより前記扉の自由端の側に位置している
ことを特徴とする電気機器。
【発明の詳細な説明】
【技術分野】
【０００１】
この発明は、機器本体を機器本体取り出し口から取り出し可能に収納する箱体、および前記箱体にヒンジにより開閉自在に枢着され前記機器本体取り出し口を開閉する扉を備えた電気機器に関するものである。
【背景技術】
【０００２】
箱体側および扉の内側にヒンジを設け、扉を回転させて開閉させるコントロールセンタ、配電盤等の電気機器では、扉の開き角度を確保するために、ヒンジ周辺の箱体と扉の間に隙間を設ける必要がある。
上記構造の電気機器では、扉のヒンジ周辺に設けた隙間から外来固形物の電気機器内への侵入を防ぐため，特許文献１の配電盤のように、箱体側ヒンジを扉高さまで伸ばすことで、扉と箱体との間の隙間を塞ぐ構造や、特許文献２の閉鎖配電盤のように箱体側フレームもしくは延長部材に防塵パッキンを貼付けし、扉側に台座を設けて、防塵パッキンと台座が接することで扉と箱体との間の隙間を塞ぐ構造としている。
【先行技術文献】
【特許文献】
【０００３】
【特許文献１】特開２０１４−１６６１２２号公報
【特許文献２】実開平４−１４４０４号公報
【発明の概要】
【発明が解決しようとする課題】
【０００４】
特許文献１では、箱体側ヒンジを扉高さまで伸ばして、箱体側ヒンジにより扉と箱体の隙間を塞ぐことで、外来固形物の配電盤内への侵入を防止しているが、扉開閉の際に扉と箱体側ヒンジが干渉しないように箱体側ヒンジと扉の間に隙間を確保する必要があるため、細かい異物や水などの異物の侵入を防ぐことは困難であった。また、箱体側ヒンジは製作し難い形状で高価であるが、コントロールセンタのユニットのように扉の高さが固定でない製品では、変更などで扉の高さが変わった場合、箱体側ヒンジを製作し直す必要があり、コストが高くなっていた。【０００５】
特許文献２の第１図の構造では、箱体側フレームもしくは延長部材に貼り付けた防塵パッキンと扉側に設けた台座が接し、扉と箱体の隙間を塞ぐことで、外来固形物の配電盤内への侵入を防止しているが、箱体側フレームおよび延長部材と扉側の台座が必要で部品点数増となりコストが高くなっていた。【０００６】
この発明は、前述のような実情に鑑みてなされたもので、機器本体を機器本体取り出し口から取り出し可能に収納する箱体、および前記箱体にヒンジにより開閉自在に枢着され前記機器本体取り出し口を開閉する扉を備えた電気機器にけるヒンジの部分において、箱体と扉との間から、箱体の外部の異物が、箱体の内部に侵入するのを、廉価な簡単な構造で、効果的に防止することを目的とするものである。
【課題を解決するための手段】
【０００７】
この発明に係る電気機器は、機器本体を機器本体取り出し口から取り出し可能に収納する箱体、および前記箱体にヒンジにより開閉自在に枢着され前記機器本体取り出し口を開閉する扉を備えた電気機器であって、
前記箱体の外壁の主フレームに内端部が取り付けられると共に先端部が前記機器本体取り出し口を閉じた状態の前記扉の内壁面に対向し少なくとも前記ヒンジのヒンジ回転軸の軸方向の長さに亘って延在する密封用フレーム、および
前記密封用フレームの前記先端部の前記扉との対向面と前記扉の前記内壁面との間に介在し、前記ヒンジの部分において、前記箱体と前記扉との間から、前記箱体の外部の異物が、前記箱体の内部に侵入するのを防止するヒンジ部パッキンを備えている
ものである。
ものである。
【発明の効果】
【０００８】
この発明は、機器本体を機器本体取り出し口から取り出し可能に収納する箱体、および前記箱体にヒンジにより開閉自在に枢着され前記機器本体取り出し口を開閉する扉を備えた電気機器であって、前記箱体の外壁の主フレームに内端部が取り付けられると共に先端部が前記機器本体取り出し口を閉じた状態の前記扉の内壁面に対向し少なくとも前記ヒンジのヒンジ回転軸の軸方向の長さに亘って延在する密封用フレーム、および前記密封用フレームの前記先端部の前記扉との対向面と前記扉の前記内壁面との間に介在し、前記ヒンジの部分において、前記箱体と前記扉との間から、前記箱体の外部の異物が、前記箱体の内部に侵入するのを防止するヒンジ部パッキンを備えているので、前記ヒンジの部分において、前記箱体と前記扉との間から、前記箱体の外部の異物が、前記箱体の内部に侵入するのを、廉価な簡単な構造で、効果的に防止することができる。
【図面の簡単な説明】
【０００９】
【図１】この発明の実施の形態１を示す図で、電気機器の扉を閉めた状態を示す斜視図である。
【図２】この発明の実施の形態１を示す図で、図１のI-I線における横断平面図である。
【図３】この発明の実施の形態１を示す図で、図１のII-II線における縦断側面図である。
【図４】この発明の実施の形態１を示す図で、電気機器の扉を開いた状態を示す斜視図である。
【図５】この発明の実施の形態１を示す図で、図４のIII-III線における横断平面図である。
【図６】この発明の実施の形態１を示す図で、図４のIV-IV線における縦断側面図である。
【図７】この発明の実施の形態１を示す図で、密封用フレームおよびヒンジ部パッキンの全体の外形を示す斜視図である。
【図８】この発明の実施の形態２を示す図で、図１のI-I線における横断平面図に相当する横断平面図である。
【図９】この発明の実施の形態２を示す図で、図１のII-II線における縦断側面図に相当する縦断側面図である。
【図１０】この発明の実施の形態２を示す図で、図４のIII-III線における横断平面図に相当する横断平面図である。
【図１１】この発明の実施の形態３を示す図で、図１のI-I線における横断平面図に相当する横断平面図である。
【図１２】この発明の実施の形態３を示す図で、図４のIII-III線における横断平面図に相当する横断平面図である。
【発明を実施するための形態】
【００１０】
実施の形態１．
以下、この発明の実施の形態１を図１、図２、図３、図４、図５、図６及び図７に基づいて説明する。図１は電気機器の扉を閉めた状態を示す斜視図、図２は図１のI-I線における横断平面図、図３は図１のII-II線における縦断側面図、図４は電気機器の扉を開いた状態を示す斜視図、図５は図４のIII-III線における横断平面図、図６は図４のIV-IV線における縦断側面図、図７は密封用フレームおよびヒンジ部パッキンの全体の外形を示す斜視図である。
【００１１】
本実施の形態１における電気機器は、図１から図７に例示のように、電気機器の箱体１、機器本体１１、保守点検時など必要に応じて箱体１から機器本体１１を取り出すための機器本体取り出し口１２、箱体１の主フレーム２、箱体１に開閉自在に枢着された扉３、扉の内壁面３１、扉の自由端３２、上側の扉（上段の機器の扉）３Ｕ、下側の扉（下段の機器の扉）３Ｌ、主フレーム２に固着された密封用フレーム４、密封用フレーム４の内端部４１、密封用フレーム４の先端部４２、密封用フレーム４の中間部４３、ヒンジ部パッキン５、扉３の上部および下部の２箇所に配設された複数個のヒンジ６、各ヒンジ６の一方の片（箱体１の側に固定された片）６１、各ヒンジ６の他方の片（扉３の側に固定された片）６２、各ヒンジ６のヒンジ回転軸６３（一方の片６１と他方の片６２とを枢着してヒンジ６を構成する軸）、箱体１と扉３との間の隙間７、および周縁部パッキン８、を有している例である。
【００１２】
本実施の形態の電気機器は、箱体１の縦フレームである主フレーム２にＺ字形状の密封用フレーム４を取付け、密封用フレーム４にヒンジ６の一方の片（箱体側の片）６１とヒンジ部パッキン５とを取付け、ヒンジ７の他方の片（扉側の片）６２を扉３に取り付け、ヒンジ６の一方の片６１とヒンジ６の他方の片６２とに、これら両片６１，６２に跨ってヒンジ回転軸６３を差し込むことによって、扉３を箱体１に開閉自在に取り付ける構造である。
【００１３】
ここで、箱体１と扉３との間の隙間７について説明する。電気機器の箱体１には、内部には、例えば配電盤としての機能上必要な機器及び構成部材などの機器本体１１が収納されており、例えば、箱体１内の機器本体１１のメンテナンスで機器本体１１を箱体１から引出したり、構成部材の状態を確認したりする時には、必ず扉３を開閉させる。その場合、扉３はヒンジ回転軸６３を中心とした回転運動となるため,  箱体１の側および扉３の内側にヒンジ６を設けた電気機器においては、箱体１と扉３との間に隙間７を設ける必要がある。
【００１４】
一方、配電盤などの電気機器は様々な場所に設置されることから、例えば、電気機器の操作者が誤って内部充電部に触れないように、また,虫や小動物などが電気機器内に侵入して充電部で短絡事故を起こすことがないように、  また、水が配電盤内に侵入して機器等が故障しないように、外部から電気機器の内部へと侵入する物体や水などの異物から、電気機器の箱体１の内部の機器本体１１を保護することが必要とされる。
【００１５】
本実施の形態１おける電気機器では、３扉の開閉が可能な構造かつ、細かい異物や水などの所謂異物から保護するための構造として、箱体１の側のＺ字形状の密封用フレーム４を、扉３の高さ方向全体にわたる遮蔽板構造として箱体１の主フレーム２に取付け、Ｚ字形状の密封用フレーム４に扉３の高さ方向全体にわたるヒンジ部パッキン５を取付け、扉３を閉めた際、箱体１と扉３との間の隙間７を塞ぎ、ヒンジ部以外については、扉３と周縁部パッキン(ヒンジ部以外)８とが接すること構造としてあることを特徴としている。
【００１６】
箱体１の側のヒンジ６の部分は、箱体１の側のＺ字形状の密封用フレーム４と箱体１の側のヒンジ６の片６１のみで構成しているため、特許文献２の第１図のような箱体側フレームもしくは延長部材の防塵パッキンと扉側の台座とが接する構造に比べて、部品点数の削減が可能となる。また、箱体１の側の小形のヒンジ６と、箱体１の側の単純な形状のＺ字形状の密封用フレーム４の安価な部品の採用により、特許文献１のような箱体１の側のヒンジを扉３の高さまで伸ばして遮蔽する構造に比べて、コスト削減の効果がある。
さらに、箱体１の側のヒンジ６の片６１と箱体１の側のＺ字形状の密封用フレーム４とを別部品にすることで、扉の高さが変わった場合も、Ｚ字形状の密封用フレーム４のみを取り替えて、箱体１の側のヒンジ６の片６１は同じものを流用することができる。
【００１７】
従って、本実施の形態１によれば、ヒンジ６部における箱体１と扉３との間の隙間７からの異物の箱体１内への侵入を防止して箱体１内の機器本体１１を異物から保護しつつも、安価な電気機器を構成できる。
【００１８】
なお、本実施の形態１の電気機器は、別な観点から、機器本体１１を機器本体取り出し口１２から取り出し可能に収納する箱体１、および箱体１にヒンジ６により開閉自在に枢着され機器本体取り出し口１２を開閉する扉３を備えた電気機器であって、箱体１の外壁の主フレーム２に内端部４１が取り付けられると共に先端部４２が機器本体取り出し口１２を閉じた状態の扉３の内壁面３１に対向し少なくともヒンジ６のヒンジ回転軸６３の軸方向の長さに亘って延在する密封用フレーム４、および密封用フレーム４の先端部４２の扉３との対向面と扉３の内壁面３１との間に介在し、ヒンジ６の部分において、箱体１と扉３との間から、箱体１の外部の異物が、箱体１の内部に侵入するのを防止するヒンジ部パッキン５を備えている電気機器である。
【００１９】
また、かかる構造の電気機器において、ヒンジ部パッキン５が、密封用フレーム４の先端部４２に取り付けられ、密封用フレーム４が、内端部４１と先端部４２との間に、機器本体取り出し口１２を閉じた状態の扉３の内壁面３１と平行な中間部４３を有し、内端部４１と先端部４２と中間部４３とにより密封用フレーム４がＺ字形状に形成されており、内端部４１と先端部４２と中間部４３とが一枚の板材で形成されており、ヒンジ６の一方の片６１が密封用フレーム４の中間部４３に取り付けられヒンジ６の他方の片６２が扉３の内壁面３１に取り付けられており、扉３の箱体１の側の周縁部と箱体１との間に箱体１と扉３との間から箱体１の外部の異物が箱体の内部に侵入するのを防止する周縁部パッキン８が設けられており、周縁部パッキン８が箱体１に取り付けられており、ヒンジ部パッキン５と周縁部パッキン８とにより箱体１の外部から異物が箱体１の内部に侵入するのを防止する構造であり、ヒンジ部パッキン５がヒンジ６より扉３の自由端３２の側に位置している事例である。
なお、周縁部パッキン８は、扉３の側に取り付けてもよい。
【００２０】
実施の形態２．
以下、この発明の実施の形態２を図８，図９，図１０に基づいて説明する。図８は図１のI-I線における横断平面図に相当する横断平面図、図９は図１のII-II線における縦断側面図に相当する縦断側面図、図１０は図４のIII-III線における横断平面図に相当する横断平面図である。本実施の形態２の説明は、前述の実施の形態１と異なる部分について行い、実施の形態１と同様な部分については説明を割愛する。
【００２１】
前述の実施の形態１では、図２および図５のようにＺ字形状の密封用フレーム４にヒンジ部パッキン５を取付けているが、本実施の形態２では、図８および図１０に例示のように、扉３に、ヒンジ部パッキン５を取付けた事例を示してある。ヒンジ部パッキン５は、扉３の内壁面３１に取り付けられている。
【００２２】
扉３を閉めた際、図８，図９のように、Ｚ字形状の密封用フレーム４と扉３との隙間７が、扉３のヒンジ部パッキン５により塞がれることで、箱体１と扉３の間の隙間７から侵入する可能性のある異物から、箱体１の内部の機器本体１１を保護する構造となっており、前述の実施の形態１と同等の効果を奏することができる。  
【００２３】
実施の形態３．
以下、本実施の形態を図１１，図１２に基づいて説明する。図１１は図１のI-I線における横断平面図に相当する横断平面図、図１２は図４のIII-III線における横断平面図に相当する横断平面図である。本実施の形態３の説明は、前述の実施の形態１と異なる部分について行い、実施の形態１と同様な部分については説明を割愛する。
【００２４】
前述の実施の形態１では、Ｚ字形状の密封用フレーム４にヒンジ部パッキン５を取付けているが、本実施の形態３では、図１１、図１２のように、縦フレームである主フレーム２に、Ｗ字形状の密封用フレーム４を取付け、Ｗ字形状の密封用フレーム４に、ヒンジ６の箱体１の側の片（一方の片）６１と、ヒンジ部パッキン５を取付けてある。
【００２５】
扉３を閉めた際、図１１のようにＷ字形状の密封用フレーム４と扉３との間の隙間７が、ヒンジ部パッキン５により塞がれることで、箱体１と扉３との間の隙間７から侵入する可能性のある異物から、箱体１の内部の機器本体１１を保護する構造となっており、前述の実施の形態１と同等の効果を奏することができる。
【００２６】
なお、本実施の形態３の電気機器は、別な観点から、密封用フレーム４の先端部４２が、Ｌ字状に形成され、機器本体取り出し口１２を閉じた状態の扉３の内壁面３１と平行な最先端部４２１を有し、機器本体取り出し口１２を閉じた状態の扉３の内壁面３１と最先端部４２１との間に、ヒンジ部パッキン５が介在している．ヒンジ部パッキン５は、内壁面３１と平行な最先端部４２１の、閉じた状態の扉３の内壁面３１に対向する面に取り付けられている。
【００２７】
なお、各図中、同一符合は同一または相当部分を示す。
なお、本発明は、その発明の範囲内において、各実施の形態を適宜、変形、省略、組み合わせることができる。
【符号の説明】
【００２８】
１    電気機器の箱体、１１    機器本体、
１２    機器本体取り出し口、２    箱体の主フレーム、
３    扉、３１    扉の内壁面、３２    扉の自由端、
３Ｕ    上側の扉、３Ｌ    下側の扉、４    密封用フレーム、
４１    密封用フレームの内端部、４２    密封用フレームの先端部、
４２１    密封用フレームの先端部の最先端部、
４３    密封用フレームの中間部、５    ヒンジ部パッキン、
６    ヒンジ、６１    ヒンジの一方の片、６２    ヒンジの他方の片、
６３    ヒンジ回転軸、７    箱体と扉との間の隙間、
８    周縁部パッキン。
【図１】
2018189807.tif 000003
【図２】
2018189807.tif 000004
【図３】
2018189807.tif 000005
【図４】
2018189807.tif 000006
【図５】
2018189807.tif 000007
【図６】
2018189807.tif 000008
【図７】
2018189807.tif 000009
【図８】
2018189807.tif 000010
【図９】
2018189807.tif 000011
【図１０】
2018189807.tif 000012
【図１１】
2018189807.tif 000013
【図１２】
2018189807.tif 000014
【国際調査報告】
2018189807.tif 000015
2018189807.tif 000016